(57)【要約】  情報端末であって、サーバと通信を行う第１の無線部と、サーバに記憶されている調理レシピ情報群から、特定の調理レシピ情報群を検索するための条件を入力する条件入力部と、条件入力部により入力された条件に基づいて特定された特定の調理レシピ情報群を表示する表示部とを備えている。また、表示部は、運転制御情報が関連付けされた第１の調理レシピ情報と運転制御情報が関連付けされていない第２の調理レシピ情報とを区分けして、特定の調理レシピ情報群を一覧表示する一覧画面（１２００）と、一覧画面に表示された特定の調理レシピ情報群のうち、特定の調理レシピ情報に関する調理方法を表示する調理方法画面とを表示する。
2013128532.tif 000002
【特許請求の範囲】
【請求項１】
運転制御情報が関連付けされた第１の調理レシピ情報と、前記運転制御情報が関連付けされていない第２の調理レシピ情報とを含む調理レシピ情報群を記憶するサーバと通信を行う第１の無線部と、
前記サーバに記憶されている前記調理レシピ情報群から、特定の調理レシピ情報群を検索するための条件を入力する条件入力部と、
前記条件入力部により入力された前記条件に基づいて特定された前記特定の調理レシピ情報群を表示する表示部とを備え、
前記表示部は、
前記第１の調理レシピ情報と前記第２の調理レシピ情報とを区分けして、前記特定の調理レシピ情報群を一覧表示する一覧画面と、
前記一覧画面に表示された前記特定の調理レシピ情報群のうち、特定の調理レシピ情報に関する調理方法を表示する調理方法画面とを表示する
情報端末。
【請求項２】
前記表示部の前記調理方法画面に表示された前記特定の調理レシピ情報が前記第１の調理レシピ情報であった場合に、前記第１の調理レシピ情報に対応する前記運転制御情報を調理機器に送信する第２の無線部をさらに備えた
請求項１に記載の情報端末。
【請求項３】
前記表示部は、前記調理方法画面において、前記調理方法を時間の経過順に表示するとともに、時系列にそって、前記運転制御情報が必要な位置に、前記第１の無線部を介して前記運転制御情報をダウンロードすること、または、前記第２の無線部を介して前記調理機器に前記運転制御情報を送信することを示すボタンを表示する
請求項２に記載の情報端末。
【請求項４】
前記表示部は、前記第２の無線部を介して前記調理機器に前記運転制御情報を送信することを示す前記ボタンについて、既に押されたボタンと、押されていないボタンとを判別可能に表示する
請求項３に記載の情報端末。
【請求項５】
前記第１の調理レシピ情報は、調理機器を特定する特定情報が関連付けされた第３の調理レシピ情報と、前記特定情報が関連付けされていない第４の調理レシピ情報とを含み、
前記表示部は、前記一覧画面において、前記特定の調理レシピ情報群を、前記第３の調理レシピ情報と前記第４の調理レシピ情報とを区分けして一覧表示する
請求項１に記載の情報端末。
【請求項６】
前記一覧画面に表示された前記特定の調理レシピ情報群の中から特定された前記特定の調理レシピ情報が前記第３の調理レシピ情報であった場合、前記調理機器が前記特定情報によって特定される調理機器であるか否かを確認してから、前記第２の無線部が前記第３の調理レシピ情報に対応する前記運転制御情報を前記調理機器に送信する
請求項５に記載の情報端末。
【請求項７】
前記第３の調理レシピ情報および前記第４の調理レシピ情報は、調理する内容に応じた前記調理機器の制御情報を前記運転制御情報に含み、
前記一覧画面に表示された前記特定の調理レシピ情報群の中から特定された前記特定の調理レシピ情報が前記第４の調理レシピ情報であった場合、
前記表示部が、前記第４の調理レシピ情報に対応する前記調理機器の前記制御情報を表示する、または、
前記第２の無線部が、前記運転制御情報を調理機器に送信する
請求項５に記載の情報端末。
【請求項８】
前記表示部は、前記調理方法画面において、
人数を指定する人数変更設定マークを表示し、
前記人数変更設定マークにより前記人数が変更されると、変更後の前記人数にそった食材の分量を表示する
請求項１に記載の情報端末。
【請求項９】
前記第２の無線部は近距離無線通信を用いる、請求項２に記載の情報端末。
【請求項１０】
運転制御情報が関連付けされた第１の調理レシピ情報と、前記運転制御情報が関連付けされていない第２の調理レシピ情報とを含む調理レシピ情報群を記憶するサーバと通信を行う情報端末の制御方法であって、
前記サーバに記憶されている前記調理レシピ情報群から、特定の調理レシピ情報群を検索するための条件を入力する条件入力ステップと、
前記条件入力ステップにより入力された前記条件に基づいて特定された前記特定の調理レシピ情報群を表示する際に、前記第１の調理レシピ情報と前記第２の調理レシピ情報とを区分けして一覧表示する一覧画面表示ステップと、
前記一覧画面に表示された前記特定の調理レシピ情報群のうち、特定の調理レシピ情報に関する調理方法を表示する調理方法画面表示ステップとを含む
情報端末の制御方法。
【請求項１１】
運転制御情報が関連付けされた第１の調理レシピ情報と、前記運転制御情報が関連付けされていない第２の調理レシピ情報とを含む調理レシピ情報群を記憶するサーバと通信を行う情報端末の制御プログラムであって、
コンピュータに、
前記サーバに記憶されている前記調理レシピ情報群から、特定の調理レシピ情報群を検索するための条件を入力する条件入力ステップと、
前記条件入力ステップにより入力された前記条件に基づいて特定された前記特定の調理レシピ情報群を表示する際に、前記第１の調理レシピ情報と前記第２の調理レシピ情報とを区分けして一覧表示する一覧画面表示ステップと、
前記一覧画面に表示された前記特定の調理レシピ情報群のうち、特定の調理レシピ情報に関する調理方法を表示する調理方法画面表示ステップとを実行させる
情報端末の制御プログラム。
【発明の詳細な説明】
【技術分野】
【０００１】
本発明は、情報端末、特に、サーバから提供されるレシピや調理プログラムを受信して、調理機器へ送信する情報端末、情報端末の制御方法および情報端末の制御プログラムに関する。
【背景技術】
【０００２】
サーバから提供されるレシピや調理機器の運転を制御するための調理プログラム（運転制御情報とも記す）を受信して、無線通信手段を用いて調理機器へ送信する情報端末が提案されている（例えば、特許文献１を参照）。【０００３】
このような情報端末を用いることで、使用者は、サーバからレシピや調理プログラムを受信することにより、調理機器を用いて様々な調理を行うことができる。【０００４】
近年では、インターネット上で新たなレシピが数多く公開されるようになってきている。しかしながら、一般に、調理プログラムは、調理機器の製造メーカが数多くの検証作業を経た上で提供するので、すべてのレシピに対して調理プログラムを提供することは困難である。【０００５】
よって、従来の情報端末においては、レシピを表示させた場合に、調理プログラムが関連付けされたレシピと、調理プログラムが関連付けされていないレシピとが混在して表示される状態が想定され、利用者の視認性が低下する。【０００６】
また、このような混在した表示がなされる状態では、使用者は、調理プログラムが関連付けされたレシピとそうでないレシピとを見分けることに時間を割かれてしまうので、使用者の使用感が損なわれる。
【先行技術文献】
【特許文献】
【０００７】
【特許文献１】特開２００１−３４３１２８号公報
【発明の概要】
【０００８】
調理プログラムを調理機器に送信する情報端末において、使用者の視認性を高めつつ、使用者の使用感の向上を図ることのできる、情報端末、情報端末の制御方法および情報端末の制御プログラムが提供される。
【０００９】
情報端末は、運転制御情報が関連付けされた第１の調理レシピ情報と、運転制御情報が関連付けされていない第２の調理レシピ情報とを含む調理レシピ情報群を記憶するサーバと通信を行う第１の無線部を備えている。また、サーバに記憶されている調理レシピ情報群から、特定の調理レシピ情報群を検索するための条件を入力する条件入力部と、条件入力部により入力された条件に基づいて特定された特定の調理レシピ情報群を表示する表示部とを備えている。さらに、表示部は、第１の調理レシピ情報と第２の調理レシピ情報とを区分けして、特定の調理レシピ情報群を一覧表示する一覧画面と、一覧画面に表示された特定の調理レシピ情報群のうち、特定の調理レシピ情報に関する調理方法を表示する調理方法画面とを表示する。
【００１０】
また、運転制御情報が関連付けされた第１の調理レシピ情報と、運転制御情報が関連付けされていない第２の調理レシピ情報とを含む調理レシピ情報群を記憶するサーバと通信を行う情報端末の制御方法が提供される。制御方法は、サーバに記憶されている調理レシピ情報群から、特定の調理レシピ情報群を検索するための条件を入力する条件入力ステップと、条件入力ステップにより入力された条件に基づいて特定された特定の調理レシピ情報群を表示する際に、第１の調理レシピ情報と第２の調理レシピ情報とを区分けして一覧表示する一覧画面表示ステップとを含んでいる。さらに、制御方法は、一覧画面に表示された特定の調理レシピ情報群のうち、特定の調理レシピ情報に関する調理方法を表示する調理方法画面表示ステップを含んでいる。
【００１１】
さらに、運転制御情報が関連付けされた第１の調理レシピ情報と、運転制御情報が関連付けされていない第２の調理レシピ情報とを含む調理レシピ情報群を記憶するサーバと通信を行う情報端末の制御プログラムが提供される。制御プログラムは、コンピュータに、サーバに記憶されている調理レシピ情報群から、特定の調理レシピ情報群を検索するための条件を入力する条件入力ステップと、条件入力ステップにより入力された条件に基づいて特定された特定の調理レシピ情報群を表示する際に、第１の調理レシピ情報と第２の調理レシピ情報とを区分けして一覧表示する一覧画面表示ステップとを実行させる。また、制御プログラムは、コンピュータに、一覧画面に表示された特定の調理レシピ情報群のうち、特定の調理レシピ情報に関する調理方法を表示する調理方法画面表示ステップを実行させる。
【００１２】
上述のように、運転制御情報が関連付けされた第１の調理レシピ情報と、運転制御情報が関連付けられていない第２の調理レシピ情報とを分けて表示するので、使用者の視認性を高めつつ、使用者の使用感の向上を図ることができる。
【００１３】
また、調理レシピ情報群のうち、第１の調理レシピ情報と第２の調理レシピ情報とを区分けして一覧表示する一覧画面と、一覧画面に表示された調理レシピ情報群の中から、特定の調理レシピ情報に関する調理方法を表示する調理方法画面とを表示するため、使用者の視認性を高めつつ、使用者の使用感の向上を図ることができる。
【図面の簡単な説明】
【００１４】
【図１】図１は、本発明の第１の実施の形態における通信システムの全体構成を示す図である。
【図２】図２は、本発明の第１の実施の形態におけるサーバ、情報端末、および調理機器それぞれの構成を示すブロック図である。
【図３】図３は、本発明の第１の実施の形態における通信システムの通信シーケンスを示す図である。
【図４】図４は、本発明の第１の実施の形態の情報端末における表示部が表示する、レシピの検索方法を使用者が選択するための画面を示す図である。
【図５Ａ】図５Ａは、本発明の第１の実施の形態において、使用者がキーワードを入力した後に、検索結果を受信した制御演算部が作成する表示画面の一例を示す図である。
【図５Ｂ】図５Ｂは、本発明の第１の実施の形態において、使用者がキーワードを入力した後に、検索結果を受信した制御演算部が作成する表示画面の別の例を示す図である。
【図６】図６は、本発明の第１の実施の形態において、使用者がキーワードを入力した後に、検索結果を受信した制御演算部が作成する表示画面のさらに別の例を示す図である。
【図７】図７は、本発明の第１の実施の形態において、使用者がレシピを選択した際に表示される調理方法画面の一例を示す図である。
【図８】図８は、本発明の第１の実施の形態における、情報端末と調理機器とを近接させることを使用者に促す画面の一例を示す図である。
【図９】図９は、本発明の第１の実施の形態において、使用者がレシピを選択した際に表示される調理方法画面の一例を示す図である。
【図１０】図１０は、本発明の第１の実施の形態における、調理レシピ情報データベース内に格納されている情報の別の例を示す図である。
【図１１】図１１は、本発明の第２の実施の形態における通信システムの全体構成を示す図である。
【図１２】図１２は、本発明の第２の実施の形態におけるサーバ、情報端末、および調理機器それぞれの構成を示すブロック図である。
【図１３】図１３は、本発明の第２の実施の形態における通信システムの通信シーケンスを示す図である。
【図１４】図１４は、本発明の第２の実施の形態の情報端末における表示部が表示する、レシピの検索方法を使用者が選択するための画面を示す図である。
【図１５Ａ】図１５Ａは、本発明の第２の実施の形態において、使用者がキーワードを入力した後に、検索結果を受信した制御演算部が作成する表示画面の一例を示す図である。
【図１５Ｂ】図１５Ｂは、本発明の第２の実施の形態において、使用者がキーワードを入力した後に、検索結果を受信した制御演算部が作成する表示画面の別の例を示す図である。
【図１６】図１６は、本発明の第２の実施の形態において、使用者がレシピを選択した際に表示される調理方法画面の一例を示す図である。
【図１７】図１７は、本発明の第２の実施の形態における、情報端末と調理機器とを近接させることを使用者に促す画面の一例を示す図である。
【図１８】図１８は、本発明の第２の実施の形態において、使用者がレシピを選択した際に表示される調理方法画面の一例を示す図である。
【図１９】図１９は、本発明の第２の実施の形態における、調理レシピ情報データベース内に格納されている情報の別の例を示す図である。
【発明を実施するための形態】
【００１５】
以下、本発明の実施の形態について、図面を参照しながら説明する。なお、これらの実施の形態によって本発明が限定されるものではない。
【００１６】
（第１の実施の形態）
図１は、本発明の第１の実施の形態における通信システム９００の全体構成を示す図である。
【００１７】
通信システム９００は、サーバ１００、情報端末２００、および調理機器３００を備えている。なお、図１においては、サーバ１００と情報端末２００との間が基地局４００を介して通信接続されている例を示している。しかしながら、本発明はこの例に限定されず、サーバ１００と情報端末２００とがネットワーク網を経由して接続されていてもよい。
【００１８】
調理機器３００は、例えば、電子レンジ、炊飯器、ＩＨクッキングヒータ、トースター、コンロ、グリル、オーブン、ミキサー、コーヒーメーカ等を含む。
【００１９】
図２は、本発明の第１の実施の形態におけるサーバ１００、情報端末２００、および調理機器３００それぞれの構成を示すブロック図である。
【００２０】
まず、サーバ１００は、調理レシピ情報データベース１１０、通信部１２０、およびデータベース検索部１３０を有している。
【００２１】
通信部１２０は通信手段であり、情報端末２００の通信部２１０との通信を行う。通信手段としては、例えば、インターネットやデータ通信等の通信網を用いることができる。
【００２２】
調理レシピ情報データベース１１０は、複数の調理レシピ情報６００（調理レシピ情報群）を記憶している。複数の調理レシピ情報６００は、運転制御情報が関連付けされた第１の調理レシピ情報と、運転制御情報が関連付けされていない第２の調理レシピ情報とを含んでいる。
【００２３】
ここで、調理レシピ情報６００とは、調理レシピ指定ＩＤ、タイトル情報、調理手順情報、運転制御情報、関連付け情報、および対象機器情報を備えた情報である。
【００２４】
調理レシピ指定ＩＤは、それぞれの調理レシピ情報６００と一対一に対応する情報で、調理レシピ情報データベース１１０に記憶されている調理レシピ情報６００を特定する際に用いられるものである。
【００２５】
タイトル情報は、調理レシピ情報６００に付与されるタイトルを表す情報で、具体的には、例えば、その調理レシピ情報６００の料理名（例えば、カレーライス）を表す情報である。
【００２６】
調理手順情報は、その料理を作るまでの調理手順を詳細に示す情報であり、具体的にはレシピのことである。
【００２７】
運転制御情報（調理プログラム）は、調理手順情報に基づいて料理を作るときにおいて、調理機器３００が調理を行う際に設定されるべき最適な制御情報である。
【００２８】
例えば、調理機器３００が電子レンジであり、レシピのタイトル情報が「グラタン」であったとする。そして、電子レンジのオーブン機能でグラタンを焼く際に、６００Ｗで６分加熱する必要があるとする。このとき、運転制御情報は、「６００Ｗで６分加熱する」という運転の内容を示す情報、または、そのような加熱運転が行われるように電子レンジの設定を行う設定情報のことである。
【００２９】
関連付け情報は、調理手順情報に基づいて料理を作る過程で調理機器３００を用いる場合に、調理レシピ情報６００が運転制御情報を含んでいるか否かを示す情報である。
【００３０】
対象機器情報は、運転制御情報を用いる調理機器３００の種別（例えば、電子レンジであるのか、または炊飯器であるのか等）を特定するための情報である。
【００３１】
図２においては、調理レシピ情報データベース１１０に記憶された、複数の調理レシピ情報６００の具体例を記している。ここで、調理レシピ指定ＩＤがＸ００２、Ｘ００５、Ｘ００７、Ｘ００８の調理レシピ情報６００は、運転制御情報の項目が「−」と示されている。これは、その調理レシピ情報６００には運転制御情報が含まれていないことを示しており、それに対応して関連付け情報は「０」となっている。
【００３２】
また、調理レシピ指定ＩＤがＸ００３の調理レシピ情報６００は、一つの調理手順情報（Ｑ００３）の中に、複数の運転制御情報（Ｒ００２およびＲ００３）が含まれていることを示している。
【００３３】
データベース検索部１３０は、情報端末２００から送信される指示やキーワード等に従って、調理レシピ情報データベース１１０に記憶されている複数の調理レシピ情報６００から、条件に該当する特定の調理レシピ情報６００（特定の調理レシピ情報群）を検索する。
【００３４】
次に、情報端末２００は、通信部２１０、データ記憶部２２０、表示部２３０、操作部２４０、近距離無線部２５０、および制御演算部２６０を有している。
【００３５】
通信部２１０（第１の無線部）は通信手段であり、サーバ１００の通信部１２０と通信を行う。
【００３６】
データ記憶部２２０は、通信部２１０が受信したレシピや運転制御情報を記憶する。
【００３７】
表示部２３０は、データ記憶部２２０で記憶されたレシピ等を表示するディスプレイである。表示部２３０は、操作部２４０により入力された条件に基づいて特定された、特定の調理レシピ情報群を表示する。
【００３８】
操作部２４０は、データ記憶部２２０に記憶された複数のレシピが表示部２３０に一覧表示されたときに、使用者が特定のレシピを選択するための手段である。また、操作部２４０は、表示部２３０に表示されたボタンを押す処理を行うための手段でもある。さらに、操作部２４０は、サーバ１００に記憶されている調理レシピ情報群から、特定の調理レシピ情報群を検索するための条件を入力する条件入力部としても機能する。
【００３９】
なお、本実施の形態においては、操作部２４０が、表示部２３０にタッチパネルとして組み込まれているものとして説明するが、表示部２３０と操作部２４０とが別々に構成されていてもよい。
【００４０】
近距離無線部２５０（第２の無線部）は、調理機器３００との通信手段であり、例えば赤外線通信、特定小電力無線、ＮＦＣ（Ｎｅａｒ  Ｆｉｅｌｄ  Ｃｏｍｍｕｎｉｃａｔｉｏｎ）、無線タグ、または、ＲＦＩＤ（Ｒａｄｉｏ  Ｆｒｅｑｕｅｎｃｙ  ＩＤｅｎｔｉｆｉｃａｔｉｏｎ）等を用いて実現される。
【００４１】
制御演算部２６０は、通信部２１０、データ記憶部２２０、表示部２３０、操作部２４０、および近距離無線部２５０に対する制御、ならびに、やり取りするデータの演算を行う。また、制御演算部２６０は、後述する画面表示のための表示画面データ（一覧画面１２００〜１２０２や調理方法画面１４００等）の作成や、表示部２３０の画面遷移制御も行う。
【００４２】
次に、調理機器３００は、近距離無線部３１０、運転制御情報記憶部３２０、および制御部３３０を有している。
【００４３】
近距離無線部３１０は、情報端末２００の近距離無線部２５０との通信手段であり、近距離無線部２５０の通信方式と対応する通信方式を用いて実現される。
【００４４】
運転制御情報記憶部３２０は、サーバ１００から送信される運転制御情報を、情報端末２００を介して近距離無線部３１０で受信したときに、その運転制御情報を記憶する。
【００４５】
制御部３３０は、運転制御情報記憶部３２０に記憶された運転制御情報に基づいた運転制御を実行する手段であり、調理機器３００の運転部（図示せず）を制御する。運転部は、例えば調理機器３００が電子レンジであればマイクロ波を送信する手段であり、調理機器３００が炊飯器であれば米を加熱する手段である。
【００４６】
次に、本実施の形態における通信システム９００の動作について説明する。
【００４７】
図３は、本発明の第１の実施の形態における通信システム９００の通信シーケンスを示す図である。
【００４８】
まず、使用者は、情報端末２００に設けられた操作部２４０を用いて、検索したいレシピに関連するキーワードを入力する（Ｓ５０１）。
【００４９】
操作部２４０で入力されたキーワードは、通信部２１０を介してサーバ１００へ送信される（Ｓ５０２）。
【００５０】
キーワードを受信したサーバ１００内のデータベース検索部１３０は、調理レシピ情報データベース１１０に記憶されている、すべての調理レシピ情報６００（具体的にはタイトル情報と調理手順情報）の中で、キーワードと一致する言葉の使われている調理レシピ情報６００を検索する（Ｓ５０３）。
【００５１】
キーワードと一致する言葉の使われている調理レシピ情報６００が発見されると、その調理レシピ情報６００に対応する調理レシピ指定ＩＤ、タイトル情報、および関連付け情報が、検索結果として、通信部１２０を介して情報端末２００へ送信される（Ｓ５０４）。
【００５２】
通信部２１０が検索結果を受信すると、制御演算部２６０は、調理レシピ情報６００のうち、関連付け情報が「１」のもの（第１の調理レシピ情報）と「０」のもの（第２の調理レシピ情報）とを区別する。制御演算部２６０は、調理レシピ情報６００中に運転制御情報を含むものと含まないものとを区分けした状態で、タイトル情報が一覧表示された表示画面データを生成し、表示部２３０に一覧画面１２００〜１２０２として表示する（Ｓ５０５）。
【００５３】
使用者は、一覧表示された検索結果を確認し、望みのタイトル情報がなければ、操作部２４０に対して、異なるキーワードを再入力し（Ｓ５０６，Ｙｅｓ）、再びサーバ１００でデータベース検索部１３０が検索を行う。
【００５４】
一方、使用者が検索結果を確認して、望みのタイトル情報が見つかれば（Ｓ５０６，Ｎｏ）、使用者は、操作部２４０を用いて、その中から望みのタイトル情報を一つ選択して特定する（Ｓ５０７）。
【００５５】
ステップＳ５０７において、使用者によって望みのタイトル情報が特定されると、それに連動して、情報端末２００は、通信部２１０を介して、特定されたタイトル情報に対応する調理レシピ指定ＩＤをサーバ１００に送信する（Ｓ５０８）。
【００５６】
サーバ１００が通信部１２０を介して調理レシピ指定ＩＤを受信すると、データベース検索部１３０は、調理レシピ情報データベース１１０からその調理レシピ指定ＩＤに対応する特定の調理レシピ情報６００（関連付け情報は含まなくてもよい）を読み出す。そして、データベース検索部１３０は、読み出した情報を、通信部１２０を介して情報端末２００へ送信する（Ｓ５０９）。
【００５７】
情報端末２００は、通信部２１０を介して特定の調理レシピ情報６００を受信し、制御演算部２６０は、受信した特定の調理レシピ情報６００に含まれる調理手順情報から表示画面データを作成し、調理方法画面１４００としてレシピの表示を行う（Ｓ５１０）。
【００５８】
次に、制御演算部２６０は、情報端末２００と調理機器３００の特定部分とを近接させることを指示するメッセージ画面を、表示部２３０に表示させる（Ｓ５１１）。
【００５９】
これを見た使用者が、情報端末２００と調理機器３００の特定部分とを近接させると、近距離無線部２５０から近距離無線部３１０に対して、ステップＳ５０７で特定された調理レシピ情報６００の運転制御情報が伝送され（Ｓ５１２）、その運転制御情報が運転制御情報記憶部３２０に記憶される。
【００６０】
そして、制御部３３０は、運転制御情報記憶部３２０に記憶された運転制御情報に従った運転制御を行うように運転部を制御する（Ｓ５１３）。
【００６１】
次に、表示部２３０が表示する画面について説明する。
【００６２】
図４は、本発明の第１の実施の形態の情報端末２００における表示部２３０が表示する、レシピの検索方法を使用者が選択するための画面を示す図である。
【００６３】
使用者は、ステップＳ５０１に示したキーワード入力を行う際に、図４に示したような画面に基づいて、入力方法を選択する。
【００６４】
本実施の形態では、使用者が真ん中のボタン、すなわちキーワード検索を選択して検索を行ったとして説明を行うが、本発明はこの例に限定されない。使用者は、図４に表示された他の方法（「ジャンル検索」または「よく見るレシピ」）等を用いてもレシピの検索を行えるものとする。
【００６５】
なお、「ジャンル検索」とは、対象とする料理の分類（野菜、肉類、魚類等）から、使用者の望む分類を選択してレシピを検索する方法である。また、「よく見るレシピ」とは、一定期間、例えば過去１ヶ月間に使用者が選択したレシピを一覧表示して、使用者に選択させる方法である。
【００６６】
図４の表示画面において「キーワード検索」を押すと、キーワードを入力する欄が表示されるので、使用者は、発見したいレシピに関連するキーワードを入力する。
【００６７】
図５Ａ、図５Ｂ、および図６は、本発明の第１の実施の形態において、使用者がキーワードを入力した後に、検索結果を受信した制御演算部２６０が作成する表示画面を示す図である。これらの表示画面は、図３におけるステップＳ５０５で表示される一覧画面１２００〜１２０２に対応している。
【００６８】
図５Ａに示した例では、表示部２３０に、一覧画面１２００として、検索結果であるレシピ（特定の調理レシピ情報群）を、運転制御情報が関連付けられているもの（第１の調理レシピ情報）と、運転制御情報が関連付けられていないもの（第２の調理レシピ情報）とが一目で分かるように、区分けした表示がなされている。
【００６９】
つまり、表示部２３０は、第１の調理レシピ情報と第２の調理レシピ情報とを区分けして、特定の調理レシピ群を一覧表示する一覧画面１２００を表示している。
【００７０】
また、図５Ｂに示した例のように、表示部２３０に、一覧画面１２０１として、特定の調理レシピ情報群について、運転制御情報が関連付けられているものと、運転制御情報が関連付けられていないものとが一目で分かるように区分けして表示すると共に、それぞれの項目中のレシピが、どの調理機器３００によって活用されるのかを区分けして表示させてもよい。
【００７１】
なお、図５Ｂのような一覧表示をする場合には、上述したステップＳ５０５において、調理レシピ情報６００中に含まれる対象機器情報を用いて、種別毎に区分けして表示画面データを生成すればよい。
【００７２】
さらに、図６に示した例のように、表示部２３０に、一覧画面１２０２として、すべての特定の調理レシピ情報群を表示するとともに、運転制御情報が関連付けられているレシピを別途区分けして表示することも可能である。
【００７３】
図５Ａ、図５Ｂおよび図６のいずれの表示画面を用いても、運転制御情報が関連付けられているレシピを一目で判別することが可能である。
【００７４】
図７は、本発明の第１の実施の形態において、使用者がレシピを選択した際に表示される調理方法画面１４００の一例を示す図である。この表示画面は、図３におけるステップＳ５１０で表示されるレシピ表示に対応している。
【００７５】
図７は、図５Ａ、図５Ｂおよび図６に示した一覧画面１２００〜１２０２において、運転制御情報があるメニューとして表示されている「カレーライス」を、操作部２４０で選択した場合に遷移する調理方法画面１４００を示している。
【００７６】
図７中の情報は、制御演算部２６０が調理手順情報から生成するものである。カレーライスの調理方法として、（１）食材の下ごしらえを行う、（２）食材を炒める、（３）カレールーと水を鍋に入れて調理機器３００で加熱し、ルーを溶かす、（４）カレールーを溶かした鍋に食材を入れて、調理機器３００で加熱を行う、といった手順が記載されている。
【００７７】
つまり、表示部２３０は、一覧画面１２００〜１２０２に表示された特定の調理レシピ情報群のうち、特定の調理レシピ情報に関する調理方法を表示する調理方法画面１４００を表示する。
【００７８】
上記調理手順のうち、（３）、（４）においては、調理機器３００による加熱運転が必要となり、レシピに応じた最適な設定情報を調理機器３００に送ることが必要となる。
【００７９】
これに対して、図７に示した調理方法画面においては、調理手順（３）、（４）それぞれの下側に、情報端末２００と調理機器３００の特定部分とを近接させることを使用者に促す近接指示マーク２８０を表示させている。これによって、時系列に沿って使用者をガイダンスすることができるので、さらに使用者の使用感の向上を図ることができる。なお、近接箇所の一例としては調理機器３００の操作部分としてもよいし、近距離無線部３１０付近か、そのアンテナの位置付近であればよい。
【００８０】
つまり、表示部２３０は、調理方法画面１４００において、調理方法を時間の経過順に表示するとともに、時系列に沿って、運転制御情報が必要な位置に、第２の無線部を介して調理機器３００に運転制御情報を送信することを示すボタンを表示している。
【００８１】
これによって、時系列に沿って使用者をガイダンスすることができるので、さらに使用者の使用感の向上を図ることができる。
【００８２】
また、調理方法画面１４００の下側には、人数変更設定マーク２８５も表示されており、使用者は、人数変更設定マーク２８５を押して、人数を変更することができる。
【００８３】
使用者が、調理手順（３）または調理手順（４）の近接指示マーク２８０を押すと、図８に示すような情報端末２００と調理機器３００の特定部分とを近接させることを使用者に促す画面に遷移する。
【００８４】
図８は、本発明の第１の実施の形態における、情報端末２００と調理機器３００とを近接させることを使用者に促す画面の一例を示す図である。この表示画面は、図３におけるステップＳ５１１で表示される近接指示表示に対応している。
【００８５】
使用者は、調理機器３００の特定部分に情報端末２００を近接させる。そうすると、調理手順（３）または調理手順（４）で、予め適切に定められた設定情報である運転制御情報が、近距離無線部２５０から近距離無線部３１０へと伝達される。近距離無線部３１０で受信された運転制御情報は、運転制御情報記憶部３２０に記憶される。その後、その運転制御情報に従った運転制御を行うように、制御部３３０は運転部を制御する。
【００８６】
つまり、近距離無線部２５０（第２の無線部）は、表示部２３０の調理方法画面１４００に表示された特定されたレシピが、運転制御情報が関連付けられた第１の調理レシピであった場合に、第１の調理レシピに対応する運転制御情報を、調理機器３００に送信している。
【００８７】
これによれば、使用者は複雑な調理設定を手動で行う必要がなく、簡単に最適な運転制御情報を調理機器３００に設定することができる。
【００８８】
また、近距離無線部２５０（第２の無線部）が近距離無線通信を行う構成とすることにより、使用者は調理機器３００の近隣で運転制御情報を調理機器３００に送信する。これにより、調理機器３００に不具合が発生した場合にも、すぐに対処することができ、火事、空やき、不適切な食材の混入等を防ぐことができる。
【００８９】
なお、近接指示マーク２８０の一例として、図７および図８では「（調理機器に）近接して下さい」とのメッセージを表示しているが、本発明はこれに限定されない。例えば、運転制御情報を送信することを示すメッセージを用いてもよい。
【００９０】
なお、図３で説明したステップＳ５０８においては、サーバ１００が通信部１２０を介してレシピ要求信号を受信し、調理レシピ情報データベース１１０からレシピの詳細データと特定されたレシピに関する運転制御情報を読み出し、ステップＳ５０９において、読み出された情報を、通信部１２０を介して情報端末２００へ送信する例を説明した。しかしながら、本発明はこの例に限定されない。例えば、別の形態として、ステップＳ５０９においては、レシピの詳細データのみを送信し、レシピに関する運転制御情報は、別途、サーバ１００から情報端末２００へ送信することも可能である。この場合には、近接指示マーク２８０として表示するメッセージとして、サーバ１００から運転制御情報をダウンロードすることを使用者に促す表示を用いることも可能である。
【００９１】
また、近接指示マーク２８０は、それが押されたか否かで表示色や表示形態を異ならせる構成としてもよい。つまり、表示部２３０は、近距離無線部２５０を介して調理機器３００に運転制御情報を送信することを示すボタンについて、既に押されたボタンと、押されていないボタンとを判別可能なように表示している。そうすることで、使用者は自分がどこまで調理したのかが分かり、再度同じ近接指示マーク２８０を押すといった間違いを起さなくなる。このように、使用者の二度押しを防止することができるので、さらに使用者の使用感の向上を図ることができる。
【００９２】
図７においては、調理手順（３）に対応する近接指示マーク２８０は、既に押されたものとして濃い色で表示され、調理手順（４）に対応する近接指示マーク２８０は、未だに押されていないものとして淡い色で表示されている。また、マークの色を、押される前後で異ならせてもよいし、押された近接指示マークは画面表示から消去してもよい。
【００９３】
また、人数変更設定マーク２８５は、使用者がそれを押すことで、人数を変更することができるマークである。
【００９４】
図９は、本発明の第１の実施の形態において、使用者がレシピを選択した際に表示される調理方法画面１４００の一例を示す図である。
【００９５】
図９は、図７において人数が４人に設定されていたものを、２人に変更した場合の画面を示している。人数を半分にすることで、材料は図７の半分の量が表示されている。また、図９において近接指示マーク２８０を押したときには、図７と比較して半分の材料を加熱調理するのに適した運転制御情報（例えば加熱調理時間が半分）が調理機器３００に送られる。
【００９６】
これによって、使用者の家族の人数に沿った運転制御情報を簡単に作成することができるので、さらに使用者の使用感の向上を図ることができる。
【００９７】
この機能を実現するためには、人数変更設定マーク２８５で人数が変更された時点で、情報端末２００からサーバ１００に問合せを行って、サーバ１００は半分の材料に適切な運転制御情報を調理レシピ情報データベース１１０から検索し、情報端末２００へ送信する。また、人数変更設定マーク２８５で人数が変更された後に、情報端末２００は近接指示マーク２８０が押された時点でサーバ１００へ問合せを行って、人数分の材料に適切な運転制御情報を入手してもよい。
【００９８】
図１０は、本発明の第１の実施の形態における、調理レシピ情報データベース１１０内に格納されている情報の別の例を示す図である。
【００９９】
図２で示した調理レシピ情報データベース１１０内には、運転制御情報が含まれている調理レシピ情報６００と、含まれていない調理レシピ情報６００とが混在していたが、図１０に示すように、第１データベースと第２データベースとに分けて管理してもよい。第１データベースは、関連付け情報が「１」、すなわち、運転制御情報を含む調理レシピ情報６００からなり、第２データベースは、関連付け情報が「０」、すなわち、運転制御情報を含まない調理レシピ情報６００からなる。
【０１００】
図１０に示すように調理レシピ情報６００を管理した場合、実際に調理プログラム（運転制御情報）を作成する調理機器３００の製造メーカ等は、第１データベースのみを管理すればよい。よって、製造メーカの負担を低減することができる。また、製造メーカが第１データベースを管理することで、調理レシピに対する信頼性を向上することができるといった、さらなる効果も期待できる。
【０１０１】
さらに、サーバ１００側で、運転制御情報が含まれている調理レシピ情報６００と、含まれていない調理レシピ情報６００とを分けてデータベース管理しておき、図３のステップＳ５０４においては、運転制御情報が含まれている調理レシピ指定ＩＤ、タイトル情報、および関連付け情報と、含まれていない調理レシピ指定ＩＤ、タイトル情報、および関連付け情報とを別々に送信することができる。
【０１０２】
この方法により、これらの情報を受信した制御演算部２６０において、関連付け情報が「０」のものと「１」のものとを区別する処理が軽減される。
【０１０３】
（第２の実施の形態）
次に、本発明の第２の実施の形態について、図面を参照しながら説明する。
【０１０４】
図１１は、本発明の第２の実施の形態における通信システム１９００の全体構成を示す図である。
【０１０５】
通信システム１９００は、サーバ５００、情報端末１６００、および調理機器７００を備えている。なお、図１１においては、サーバ５００と情報端末１６００との間が基地局８００を介して通信接続されている例を示している。しかしながら、本発明はこの例に限定されず、サーバ５００と情報端末１６００とがネットワーク網を経由して接続されていてもよい。
【０１０６】
調理機器７００は、例えば、電子レンジ、炊飯器、ＩＨクッキングヒータ、トースター、コンロ、グリル、オーブン、ミキサー、コーヒーメーカ等を含む。
【０１０７】
図１２は、本発明の第２の実施の形態におけるサーバ５００、情報端末１６００、および調理機器７００それぞれの構成を示すブロック図である。
【０１０８】
まず、サーバ５００は、調理レシピ情報データベース５１０、通信部５２０、およびデータベース検索部５３０を有している。
【０１０９】
通信部５２０は通信手段であり、情報端末１６００の通信部６１０との通信を行う。通信手段としては、例えば、インターネットやデータ通信等の通信網を用いることができる。
【０１１０】
調理レシピ情報データベース５１０は、複数の調理レシピ情報１０００（調理レシピ情報群）を記憶している。複数の調理レシピ情報１０００は、運転制御情報が関連付けされた第１の調理レシピ情報と、運転制御情報が関連付けされていない第２の調理レシピ情報とを含んでいる。また、第１の調理レシピ情報は、調理機器を特定する特定情報が関連付けされた第３の調理レシピ情報と、前記特定情報が関連付けされていない第４の調理レシピ情報とを含んでいる。
【０１１１】
ここで、調理レシピ情報１０００とは、調理レシピ指定ＩＤ、タイトル情報、調理手順情報、対象機器情報、機種情報、および運転制御情報を備えた情報である。また、調理手順情報に基づいて料理を作る過程で調理機器７００を用いる場合に、調理レシピ情報１０００が運転制御情報を含んでいるか否かを示す情報である関連付け情報を含んでいてもよい。
【０１１２】
調理レシピ指定ＩＤは、それぞれの調理レシピ情報１０００と一対一に対応する情報で、調理レシピ情報データベース５１０に記憶されている調理レシピ情報１０００を特定する際に用いられるものである。
【０１１３】
タイトル情報は、調理レシピ情報１０００に付与されるタイトルを表す情報で、具体的には、例えば、その調理レシピ情報１０００の料理名（例えば、カレーライス）を表す情報である。
【０１１４】
調理手順情報は、その料理を作るまでの調理手順を詳細に示す情報であり、具体的にはレシピのことである。
【０１１５】
対象機器情報は、運転制御情報を用いる調理機器７００の種別（例えば、電子レンジであるのか、または炊飯器であるのか等）を特定するための情報である。
【０１１６】
機種情報は、調理機器７００のメーカや機種を特定するための情報である。例えば、調理機器７００のメーカ名や品番等が含まれる。
【０１１７】
運転制御情報は、調理手順情報に基づいて料理を作るときにおいて、調理機器７００が調理を行う際に設定されるべき最適な運転制御情報（調理プログラム）である。
【０１１８】
例えば、調理機器７００が電子レンジであり、レシピのタイトル情報が「グラタン」であったとする。そして、電子レンジのオーブン機能でグラタンを焼く際に、６００Ｗで６分加熱する必要があるとする。このとき、運転制御情報は、「６００Ｗで６分加熱する」という運転の内容を示す情報、または、そのような加熱運転が行われるように電子レンジの設定を行う設定情報のことである。
【０１１９】
つまり、第３の調理レシピ情報および第４の調理レシピ情報は、調理する内容に応じた調理機器７００の制御情報を運転制御情報として含んでいる第１の調理レシピ情報である。
【０１２０】
本実施の形態においては、上述した機種情報が、調理機器７００を特定する特定情報にあたるとして説明するが、機種情報および対象機器情報を含めて特定情報としてもよい。
【０１２１】
図１２においては、調理レシピ情報データベース５１０に記憶された、複数の調理レシピ情報１０００の具体例を記している。ここで、調理レシピ指定ＩＤがＸ００１〜Ｘ００７の調理レシピ情報１０００は、機種情報を有している（第３の調理レシピ情報）が、Ｘ００８〜Ｘ０１０の調理レシピ情報１０００は機種情報を有していない（第４の調理レシピ情報）。Ｘ００８〜Ｘ０１０の調理レシピ情報１０００は、それぞれ、機種を特定しないで、汎用の電子レンジ、炊飯器、またはＩＨクッキングヒータで調理できる運転制御情報を含んでいる。
【０１２２】
また、調理レシピ指定ＩＤがＸ０１１の調理レシピ情報１０００は、運転制御情報を含まない（第２の調理レシピ情報）。
【０１２３】
一般に、機種情報を有している運転制御情報は、例えば、調理機器７００の製造メーカ等によって提供されるものである。調理機器７００の機種を特定し、多くの検証作業を経た上で、その機種に合わせた調理の条件（例えば、加熱の出力や時間等）で調理プログラムを提供することができる。
【０１２４】
また、機種情報を有していない運転制御情報は、例えば、調理者によって提供される、一般的な調理機器７００に使えるような汎用性のある調理プログラムである。
【０１２５】
データベース検索部５３０は、情報端末１６００から送信される指示やキーワード等に従って、調理レシピ情報データベース５１０に記憶されている複数の調理レシピ情報１０００から、条件に該当する特定の調理レシピ情報１０００（特定の調理レシピ情報群）を検索する。
【０１２６】
次に、情報端末１６００は、通信部６１０、データ記憶部６２０、表示部６３０、操作部６４０、近距離無線部６５０、および制御演算部６６０を有している。
【０１２７】
通信部６１０（第１の無線部）は通信手段であり、サーバ５００の通信部５２０と通信を行う。
【０１２８】
データ記憶部６２０は、通信部６１０が受信したレシピや運転制御情報を記憶する。また、データ記憶部６２０は、調理機器７００の対象機器情報や機種情報を記憶する。
【０１２９】
表示部６３０は、データ記憶部６２０で記憶されたレシピ等を表示するディスプレイである。表示部２３０は、操作部２４０により入力された条件に基づいて特定された、特定の調理レシピ情報群を表示する。
【０１３０】
操作部６４０は、データ記憶部６２０に記憶された複数のレシピが表示部６３０に一覧表示されたときに、使用者が特定のレシピを選択するための手段である。また、操作部６４０は、表示部６３０に表示されたボタンを押す処理を行うための手段でもある。さらに、操作部２４０は、サーバ１００に記憶されている調理レシピ情報群から、特定の調理レシピ情報群を検索するための条件を入力する条件入力部としても機能する。
【０１３１】
なお、本実施の形態においては、操作部６４０が、表示部６３０にタッチパネルとして組み込まれているものとして説明するが、表示部６３０と操作部６４０とが別々に構成されていてもよい。
【０１３２】
近距離無線部６５０（第２の無線部）は、調理機器７００との通信手段であり、例えば赤外線通信、特定小電力無線、ＮＦＣ（Ｎｅａｒ  Ｆｉｅｌｄ  Ｃｏｍｍｕｎｉｃａｔｉｏｎ）、無線タグ、ＲＦＩＤ（Ｒａｄｉｏ  Ｆｒｅｑｕｅｎｃｙ  ＩＤｅｎｔｉｆｉｃａｔｉｏｎ）等を用いて実現される。
【０１３３】
制御演算部６６０は、通信部６１０、データ記憶部６２０、表示部６３０、操作部６４０、および近距離無線部６５０に対する制御、ならびに、やり取りするデータの演算を行う。また、演算制御部６６０は、後述する画面表示のための表示画面データ（一覧画面２２００，２２０１や調理方法画面２４００等）の作成や、表示部６３０の画面遷移制御も行う。
【０１３４】
次に、調理機器７００は、近距離無線部７１０、運転制御情報記憶部７２０、制御部７３０、および機器情報記憶部７４０を有している。
【０１３５】
近距離無線部７１０は、情報端末１６００の近距離無線部６５０との通信手段であり、近距離無線部６５０の通信方式と対応する通信方式を用いて実現される。
【０１３６】
運転制御情報記憶部７２０は、サーバ５００から送信される運転制御情報を、情報端末１６００を介して近距離無線部７１０で受信したときに、その運転制御情報を記憶する。
【０１３７】
制御部７３０は、運転制御情報記憶部７２０に記憶された運転制御情報に基づいた運転制御を実行する手段であり、調理機器７００の運転部（図示せず）を制御する。運転部は、例えば調理機器７００が電子レンジであればマイクロ波を送信する手段であり、調理機器７００が炊飯器であれば米を加熱する手段である。
【０１３８】
次に、本実施の形態における通信システム１９００の動作について説明する。
【０１３９】
図１３は、本発明の第２の実施の形態における通信システム１９００の通信シーケンスを示す図である。
【０１４０】
以下の例において、機器情報記憶部７４０は、調理機器７００の、対象機器情報（例えば電子レンジ）、および機種情報（例えばＡ）を記憶しているものとする。
【０１４１】
まず、使用者は、情報端末１６００に設けられた操作部６４０を用いて、検索したいレシピに関連するキーワードを入力する（Ｓ１５０１）。
【０１４２】
このとき、使用者は、キーワードのほかに、使用者が所有する調理機器７００、または使用する調理機器７００の、対象機器情報および機種情報を入力する。
【０１４３】
これらの情報の入力は、ステップＳ１５０１の前に、使用者が情報端末１６００に入力しておいてもよい。例えば、情報端末１６００と調理機器７００とで通信をし、機器情報記憶部７４０に記憶されたデータをデータ記憶部６２０に取得するようにしてもよい。または、これらの情報を、予めサーバ５００に記憶しておいてもよい。
【０１４４】
操作部６４０で入力されたキーワード、対象機器情報、および機種情報は、通信部６１０を介してサーバ５００へ送信される（Ｓ１５０２）。
【０１４５】
キーワード、対象機器情報、および機種情報を受信したサーバ５００内のデータベース検索部５３０は、調理レシピ情報データベース５１０に記憶されている、すべての調理レシピ情報１０００（具体的にはタイトル情報と調理手順情報）の中で、キーワードと一致する言葉の使われている調理レシピ情報１０００を検索する（Ｓ１５０３）。
【０１４６】
キーワードと一致する言葉の使われている調理レシピ情報１０００が発見されると、その調理レシピ情報１０００に対応する調理レシピ指定ＩＤ、タイトル情報、調理手順情報、および運転制御情報が、検索結果として、通信部５２０を介して情報端末１６００へ送信される（Ｓ１５０４）。
【０１４７】
通信部６１０が検索結果を受信すると、制御演算部６６０は、対象機器情報を参照し、使用者が所有する調理機器７００、または使用する調理機器７００の種別と、それ以外とを区分けした状態で、タイトル情報が一覧表示された表示画面データを生成し、表示部６３０に表示する（Ｓ１５０５）。
【０１４８】
さらに、制御演算部６６０は、機種情報を参照して、使用者が所有する機種または使用する機種と、それ以外とを区分けして、タイトル情報が一覧表示された表示画面データを生成し、表示部６３０に表示する。
【０１４９】
つまり、表示部６３０は、一覧画面２２００，２２０１において、特定の調理レシピ情報群を、第３の調理レシピと第４の調理レシピ情報とを区分けして一覧表示している。
【０１５０】
これによれば、調理する機器を特定する特定情報が関連付けされた第３の調理レシピ情報と、特定情報が関連付けられていない第４の調理レシピ情報とを分けて表示するため、使用者の視認性を高めつつ、使用者の使用感の向上を図ることができる。
【０１５１】
なお、使用者が所有していない調理機器７００、または使用しない調理機器７００のタイトル情報は、表示画面データの一覧から削除してもよい。また、使用者が所有していない機種、または使用しない機種のタイトル情報は、表示画面データの一覧から削除してもよい。
【０１５２】
以上述べたような、使用者が所有する調理機器７００、または使用する調理機器７００と、それ以外との区分けは、情報端末１６００側で行ってもよいし、サーバ５００側で行って、その結果を情報端末１６００に送信する形態でもよい。
【０１５３】
使用者は、一覧表示された検索結果を確認し、望みのタイトル情報がなければ、操作部６４０に対して、異なるキーワードを再入力し（Ｓ１５０６，Ｙｅｓ）、再びサーバ５００でデータベース検索部５３０が検索を行う。
【０１５４】
一方、使用者が検索結果を確認して、望みのタイトル情報が見つかれば（Ｓ１５０６，Ｎｏ）、使用者は、操作部６４０を用いて、その中から望みのタイトル情報を一つ選択して特定する（Ｓ１５０７）。
【０１５５】
ステップＳ１５０７において、使用者によって望みのタイトル情報が特定されると、それに連動して、情報端末１６００は、通信部６１０を介して、特定されたタイトル情報に対応する調理レシピ指定ＩＤをサーバ５００に送信する（Ｓ１５０８）。
【０１５６】
サーバ５００が通信部５２０を介して調理レシピ指定ＩＤを受信すると、データベース検索部５３０は、調理レシピ情報データベース５１０からその調理レシピ指定ＩＤに対応する特定の調理レシピ情報１０００を読み出す。そして、データベース検索部５３０は、読み出した情報（調理レシピ特定情報、タイトル情報、調理手順情報、対象機器情報、機種情報、および運転制御情報）を、通信部５２０を介して情報端末１６００へ送信する（Ｓ１５０９）。
【０１５７】
情報端末１６００は、通信部６１０を介して特定の調理レシピ情報１０００を受信し、制御演算部６６０は、受信した特定の調理レシピ情報１０００に含まれる調理手順情報から表示画面データを作成し、調理方法画面２４００としてレシピの表示を行う（Ｓ１５１０）。
【０１５８】
ここで、使用者が選択して受信した調理レシピ情報１０００に、対象機器情報および機種情報が関連づけられていないときや、機種情報が自分の調理機器７００の機種とは異なるときには、運転制御情報の内容（例えば、レンジ加熱６００Ｗ５分）を情報端末１６００に表示する。これにより、使用者の調理機器７００に利用できる内容であるか否かを使用者に確認させることができる（ステップＳ１５１１）。
【０１５９】
つまり、一覧画面２２００，２２０１に表示された特定の調理レシピ情報群の中から特定された特定の調理レシピ情報が第４の調理レシピ情報であった場合、表示部６３０が、第４の調理レシピ情報に対応する調理機器７００の制御情報を表示している。
【０１６０】
また、運転制御情報の内容が、使用者の調理機器７００では利用できない場合（例えば、使用者の調理機器７００では６００Ｗでのレンジ加熱ができない場合）は、レンジ加熱を６００Ｗから５００Ｗや４００Ｗに変更し、加熱時間を６分から８分に変更できるような変更メニュー（図示せず）を情報端末１６００に表示することもできる。
【０１６１】
また、運転制御情報の内容表示や変更は、調理機器７００本体に対して運転制御情報を送信した後、使用者が調理機器７００本体を操作して行う構成としてもよい。
【０１６２】
このようにして、使用者は、自分が使用する機種に応じて運転制御情報を表示して確認したり、自分で変更して使用したりすることができる。
【０１６３】
次に、制御演算部６６０は、情報端末１６００と調理機器７００の特定部分とを近接させることを指示するメッセージ画面を、表示部６３０に表示させる（Ｓ１５１２）。
【０１６４】
これを見た使用者が、情報端末１６００と調理機器７００の特定部分とを近接させると、近距離無線部６５０から近距離無線部７１０に対して、ステップＳ１５０７で特定された調理レシピ情報１０００の運転制御情報が伝送され（Ｓ１５１３）、その運転制御情報が運転制御情報記憶部７２０に記憶される。
【０１６５】
つまり、一覧画面２２００，２２０１に表示された特定の調理レシピ情報群の中から特定された、特定の調理レシピ情報が第３の調理レシピ情報であった場合、調理機器７００が特定情報によって特定される調理機器であるか否かを確認してから、第２の無線部が第３の調理レシピ情報に対応する運転制御情報を調理機器７００に送信している。
【０１６６】
このとき、対象機器情報および機種情報が関連づけされた運転制御情報と、対象機器情報および機種情報が関連づけされていない運転制御情報とで、送信時または受信時に、情報端末１６００や調理機器７００で、報知音を異ならせて鳴らすことにより、使用者が区別できるようにしてもよい。
【０１６７】
また、運転制御情報を調理機器７００に送信する前に、対象機器情報および機種情報を調理機器７００に送信しておき、受信した調理機器７００の対象機器情報および機種情報に一致していることを情報端末１６００と調理機器７００とで確認してもよい。
【０１６８】
対象機器情報および機種情報が一致していないときは、運転制御情報を調理機器に送信せずに、使用者に報知する。これによって、使用者が近接させる調理機器７００を間違えた場合（例えば、電子レンジを複数台持っていて間違えた場合や、電子レンジの運転制御情報を選択したにもかかわらず炊飯器に近接させた場合）等に調理を実施せず、使用者に気づかせることができる。
【０１６９】
そして、制御部７３０は、運転制御情報記憶部７２０に記憶された運転制御情報に従った運転制御を行うように運転部を制御する（Ｓ１５１４）。
【０１７０】
次に、表示部６３０が表示する画面について説明する。
【０１７１】
図１４は、本発明の第２の実施の形態の情報端末１６００における表示部６３０が表示する、レシピの検索方法を使用者が選択するための画面を示す図である。
【０１７２】
使用者は、ステップＳ１５０１に示したキーワード入力を行う際に、図１４に示したような画面に基づいて、入力方法を選択する。
【０１７３】
本実施の形態では、使用者が真ん中のボタン、すなわちキーワード検索を選択して検索を行ったとして説明を行うが、本発明はこの例に限定されない。使用者は、図１４に表示された他の方法（「ジャンル検索」または「よく使うレシピ」）等を用いてもレシピの検索を行えるものとする。
【０１７４】
なお、「ジャンル検索」とは、対象とする料理の分類（野菜、肉類、魚類等）から、使用者の望む分類を選択してレシピを検索する方法である。また、「よく使うレシピ」とは、一定期間、例えば過去１ヶ月間に使用者が選択したレシピを一覧表示して、使用者に選択させる方法である。
【０１７５】
図１４の表示画面において「キーワード検索」を押すと、キーワードを入力する欄が表示されるので、使用者は、発見したいレシピに関連するキーワードを入力する。
【０１７６】
図１５Ａ、図１５Ｂは、本発明の第２の実施の形態において、使用者がキーワードを入力した後に、検索結果を受信した制御演算部６６０が作成する表示画面を示す図である。これらの画面は、図１３におけるステップＳ１５０５で表示される一覧画面２２００，２２０１に対応している。
【０１７７】
ここで、使用者は、機種情報Ａの電子レンジを所有しているものとする。
【０１７８】
図１５Ａに示した例では、表示部６３０に、一覧画面２２００として、検索結果であるレシピ（特定の調理レシピ情報群）を、以下のとおりに３種類に区分けして一目で分かるように表示している。（１）対象機器情報が電子レンジであり、かつ、機種情報がＡである調理レシピ（第３の調理レシピ情報）、（２）対象機器情報が電子レンジであり、かつ、機種情報がＡ以外である調理レシピ（第３の調理レシピ情報）、（３）それ以外の調理レシピ（第４の調理レシピ情報）の３種類である。
【０１７９】
使用者は、自分が所有する電子レンジ用のレシピの中からレシピを探すときは、図１５Ａの（１）対象機器情報が電子レンジであり、かつ、機種情報がＡであるレシピの検索結果を見る。
【０１８０】
検索結果を少し広げて、自分が所有する電子レンジ用ではないが、ほかの機種の電子レンジのレシピの中からレシピを探すときは、使用者は、図１５Ａの（２）対象機器情報が電子レンジであり、かつ、機種情報がＡ以外である調理レシピの検索結果を見る。
【０１８１】
さらに検索結果を広げて、電子レンジ用の調理レシピであれば何でもよい、というときには、使用者は、図１５Ａの（３）それ以外の調理レシピの検索結果を見る。
【０１８２】
なお、図１５Ａの（２）対象機器情報が電子レンジであり、かつ、機種情報がＡ以外である調理レシピの検索結果の表示において、自分が所有する電子レンジ用ではないときに、対象機器情報と機種情報を参照して、例えば、自分の電子レンジと同じ製造メーカの電子レンジに絞ったり、自分の電子レンジよりも下位機種の電子レンジに絞って表示させるような条件付けも可能である。
【０１８３】
ここで、本実施の形態の情報端末１６００においても、特定の調理レシピ情報群を、運転制御情報が関連付けられた第１の調理レシピ情報と運転制御情報が関連付けられていない第２の調理レシピ情報とに区別して、表示部６３０に表示することが可能である。
【０１８４】
また、図１５Ａに代わって、図１５Ｂの一覧画面２２０１のように、調理機器７００が電子レンジだけでなく、使用者が所有する調理機器７００、または使用する調理機器７００すべてを対象にしてもよい。ここでは、使用者が所有する電子レンジのレシピ（１α、２α、３α）と炊飯器のレシピ（１β、２β、３β）とを表示している。一覧画面２２０１においても、第３の調理レシピ情報と第４の調理レシピ情報とが区分けして表示されている。
【０１８５】
図１６は、本発明の第２の実施の形態において、使用者がレシピを選択した際に表示される調理方法画面２４００の一例を示す図である。この表示画面は、図１３におけるステップＳ１５１０で表示されるレシピ表示に対応している。
【０１８６】
図１６は、図５Ａおよび図５Ｂに示した一覧画面２２００，２２０１において、運転制御情報があるメニューとして表示されている「カレーライス」を、操作部６４０で選択した場合に遷移する調理方法画面２４００を示している。
【０１８７】
図１６中の情報は、制御演算部６６０が調理手順情報から生成するものである。カレーライスの調理方法として、（１）食材の下ごしらえを行う、（２）食材を炒める、（３）カレールーと水を鍋に入れて調理機器７００で加熱し、ルーを溶かす、（４）カレールーを溶かした鍋に食材を入れて、調理機器７００で加熱を行う、といった手順が記載されている。
【０１８８】
つまり、表示部６３０は、一覧画面２２００，２２０１に表示された特定の調理レシピ情報群のうち、特定の調理レシピ情報に関する調理法法を表示する調理方法画面２４００を表示する。
【０１８９】
上記調理手順のうち、（３）、（４）においては、調理機器７００による加熱運転が必要となり、レシピに応じた最適な運転制御情報を調理機器７００に送ることが必要となる。
【０１９０】
これに対して、図１６に示した調理方法画面においては、調理手順（３）、（４）それぞれの下側に、情報端末１６００を調理機器７００の特定部分（例えば操作部分）に近接させることを使用者に促す近接指示マーク６８０を表示させている。
【０１９１】
これによって、時系列に沿って使用者をガイダンスすることができるので、さらに使用者の使用感の向上を図ることができる。なお、近接箇所の一例としては、調理機器７００の操作部分としたが、近距離無線部７１０付近か、そのアンテナの位置付近であればよい。
【０１９２】
つまり、表示部６３０は、調理方法画面２４００において、調理方法を時間の経過順に表示するとともに、時系列に沿って、運転制御情報が必要な位置に、第２の無線部を介して調理機器７００に運転制御情報を送信することを示すボタンを表示している。
【０１９３】
これによって、時系列に沿って使用者をガイダンスすることができるので、さらに使用者の使用感の向上を図ることができる。
【０１９４】
また、調理方法画面２４００の下側には、人数変更設定マーク６８５も表示されており、使用者は、人数変更設定マーク６８５を押して、人数を変更することができる。
【０１９５】
使用者が、調理手順（３）または調理手順（４）の近接指示マーク６８０を押すと、図１７に示すような情報端末１６００と調理機器７００の特定部分とを近接させることを使用者に促す画面に遷移する。
【０１９６】
図１７は、本発明の第２の実施の形態における、情報端末１６００と調理機器７００とを近接させることを使用者に促す画面の一例を示す図である。この表示画面は、図１３におけるステップＳ１５１２で表示される近接指示表示に対応している。
【０１９７】
使用者は、調理機器７００の特定部分に情報端末１６００を近接させる。そうすると、調理手順（３）または調理手順（４）で予め適切に定められた設定情報である運転制御情報が、近距離無線部６５０から近距離無線部７１０へと伝達され、近距離無線部７１０で受信された運転制御情報が運転制御情報記憶部７２０に記憶される。その後、その運転制御情報に従った調理制御を行うように、制御部７３０が運転部を制御する。
【０１９８】
つまり、近距離無線部６５０（第２の無線部）は、表示部６３０の調理方法画面２４００に表示された特定されたレシピが、運転制御情報が関連付けられた第１の調理レシピであった場合に、第１の調理レシピに対応する運転制御情報を、調理機器７００に送信している。
【０１９９】
これによれば、使用者は複雑な調理設定を手動で行う必要がなく、簡単に最適な運転制御情報を調理機器７００に設定することができる。
【０２００】
また、近距離無線部６５０（第２の無線部）が近距離無線通信を行う構成とすることにより、使用者は調理機器７００の近隣で運転制御情報を調理機器７００に送信するので、調理機器７００に不具合が発生した場合にも、すぐに対処することができ、火事、空やき、不適切な食材の混入等を防ぐことができる。
【０２０１】
なお、近接指示マーク６８０の一例として、図１６および図１７では「（調理機器に）近接して下さい」とのメッセージを表示しているが、本発明はこれに限定されない。例えば、運転制御情報を送信することを示すメッセージを用いてもよい。
【０２０２】
なお、図１６の近接指示マーク６８０は、それが押されたか否かで表示色や表示形態を異ならせる構成としてもよい。そうすることで、使用者は自分がどこまで調理したのかが分かり、再度同じ近接指示マーク６８０を押すといった間違いを起さなくなる。また、使用者の二度押しを防止することができるので、さらに使用者の使用感の向上を図ることができる。
【０２０３】
例えば、図１６においては、調理手順（３）に対応する近接指示マーク６８０は、既に押されたものとして濃い色で表示され、調理手順（４）に対応する近接指示マーク６８０は、未だに押されていないものとして淡い色で表示されている。また、マークの色を押される前後で異ならせてもよいし、押した近接指示マークは画面表示から消去してもよい。
【０２０４】
また、図１６の人数変更設定マーク６８５は、使用者がそれを押すことで、人数を変更することができるマークである。
【０２０５】
図１８は、本発明の第２の実施の形態において、使用者がレシピを選択した際に表示される調理方法画面２４００の一例を示す図である。
【０２０６】
図１８は、図１６において人数が４人に設定されていたものを、２人に変更した場合の画面を示している。人数を半分にすることで、材料は図１６の半分の量が表示されている。また、図１８において近接指示マーク６８０を押したときには、図１６と比較して半分の材料を加熱調理するのに適した運転制御情報（例えば加熱調理時間が半分）が調理機器７００に送られる。
【０２０７】
これによって、使用者の家族数に沿った運転制御情報を簡単に作成することができるので、さらに使用者の使用感の向上を図ることができる。
【０２０８】
この機能を実現するためには、人数変更設定マーク６８５で人数が変更された時点で、情報端末１６００からサーバ５００に問合せを行って、サーバ５００は半分の材料に適切な運転制御情報を調理レシピ情報データベース５１０から検索し、情報端末１６００へ送信する。また、人数変更設定マーク６８５で人数が変更された後に、情報端末１６００は近接指示マーク６８０が押された時点でサーバ５００へ問合せを行って、人数分の材料に適切な運転制御情報を入手してもよい。
【０２０９】
なお、図１３で説明したステップＳ１５０８においては、サーバ５００が通信部５２０を介して調理レシピ指定ＩＤを受信し、調理レシピ情報データベース５１０からレシピの詳細データと特定されたレシピに関する調理レシピ情報を読み出し、ステップＳ１５０９において、読み出された調理レシピ情報１０００を、通信部５２０を介して情報端末１６００へ送信する例を説明した。しかしながら、本発明はこの例に限定されない。
【０２１０】
例えば、調理機器７００がサーバ５００と通信可能な通信部を備えていれば、情報端末１６００から調理レシピ指定ＩＤをサーバ５００に送信した後、サーバ５００から調理機器７００へ、直接に運転制御情報を送信する形態が可能である。
【０２１１】
図１９は、本発明の第２の実施の形態における、調理レシピ情報データベース５１０内に格納されている情報の別の例を示す図である。
【０２１２】
図１２で示した調理レシピ情報データベース５１０内には、対象機器情報および機種情報が含まれている調理レシピ情報１０００と、含まれていない調理レシピ情報１０００が混在していたが、図１９に示すように第１データベース、第２データベース、および第３データベースに分けて管理してもよい。第１データベースは、対象機器情報および機種情報を含み、対象機器情報が「電子レンジ」である調理レシピ情報１０００からなる。第２データベースは、対象機器情報および機種情報を含み、対象機器情報が「炊飯器」である調理レシピ情報１０００からなる。第３データベースは、対象機器情報は含むが、機種情報を含まない調理レシピ情報１０００からなる。
【０２１３】
このように調理レシピ情報１０００を別々のサーバに管理した場合、例えば、対象機器情報および機種情報を備えた調理プログラムは、調理機器の製造メーカによって用意されることが多い。
【０２１４】
図１９の構成においては、製造メーカが、データベースをそれぞれに管理すればよいので、製造メーカの負担を低減することができ、また、製造メーカが自身の調理機器のデータベースを管理することで調理レシピに対する信頼性を向上することができるといった、さらなる効果も期待できる。
【０２１５】
さらに、対象機器情報および機種情報が含まれているものと、含まれていないものとを、サーバ５００を分けてデータベース管理する場合を想定する。この場合、図１３のステップＳ１５０４において、対象機器情報および機種情報が含まれている、調理レシピ指定ＩＤおよびタイトル情報と、対象機器情報および機種情報が含まれていない、調理レシピ指定ＩＤおよびタイトル情報、とを別々に送信することで、それらを受信した制御演算部６６０で区別する処理が軽減される。
【０２１６】
なお、情報端末１６００と調理機器７００との間の通信を近距離無線通信としたので、使用者は、調理機器７００の近隣で運転制御情報を調理機器７００に送信することになる。よって、調理機器７００の不具合が発生した場合にもすぐに対処することができたり、空やき、不適切な食材の混入等を防いだりすることができる。
【０２１７】
情報端末１６００と調理機器７００との間の通信を、近距離無線通信にこだわらず、無線通信や有線通信とした場合には、調理機器７００の運転を開始する調理開始の操作を、情報端末１６００で行わずに、調理機器７００本体で行わせる（例えば、調理機器７００本体の「調理開始ボタン」を押す）設計とすることで同様の効果をもたらすことができる。
【０２１８】
なお、上述した実施の形態において、各ブロックの機能をコンピュータプログラムで記述し、コンピュータで実行してもよい。
【０２１９】
また、情報端末１６００の制御演算部６６０で行う処理の一部を、サーバ５００側で処理する構成としてもよい。
【産業上の利用可能性】
【０２２０】
以上述べたように、本発明によれば、使用者の視認性を高めつつ、使用者の使用感の向上を図ることができるので、情報端末、特に、サーバから提供されるレシピや調理プログラムを受信して、調理機器へ送信する情報端末、情報端末の制御方法および情報端末の制御プログラム等として有用である。
【符号の説明】
【０２２１】
１００，５００    サーバ
１１０，５１０    調理レシピ情報データベース
１２０，２１０，５２０，６１０    通信部
１３０，５３０    データベース検索部
２００，１６００    情報端末
２２０，６２０    データ記憶部
２３０，６３０    表示部
２４０，６４０    操作部
２５０，６５０    近距離無線部
２８０，６８０    近接指示マーク
２８５，６８５    人数変更設定マーク
３００，７００    調理機器
３１０，７１０    近距離無線部
３２０，７２０    運転制御情報記憶部
３３０，７３０    制御部
４００，８００    基地局
６００，１０００    調理レシピ情報
７４０    機器情報記憶部
９００，１９００    通信システム
１２００〜１２０２，２２００，２２０１    一覧画面
１４００，２４００    調理方法画面
【図１】
2013128532.tif 000003
【図２】
2013128532.tif 000004
【図３】
2013128532.tif 000005
【図４】
2013128532.tif 000006
【図５Ａ】
2013128532.tif 000007
【図５Ｂ】
2013128532.tif 000008
【図６】
2013128532.tif 000009
【図７】
2013128532.tif 000010
【図８】
2013128532.tif 000011
【図９】
2013128532.tif 000012
【図１０】
2013128532.tif 000013
【図１１】
2013128532.tif 000014
【図１２】
2013128532.tif 000015
【図１３】
2013128532.tif 000016
【図１４】
2013128532.tif 000017
【図１５Ａ】
2013128532.tif 000018
【図１５Ｂ】
2013128532.tif 000019
【図１６】
2013128532.tif 000020
【図１７】
2013128532.tif 000021
【図１８】
2013128532.tif 000022
【図１９】
2013128532.tif 000023
【国際調査報告】
2013128532.tif 000024
2013128532.tif 000025
2013128532.tif 000026
2013128532.tif 000027